(57)【要約】【課題】使用者の不安感を解消できる扉開閉機構を提供する。【解決手段】機器本体４０の開口部を覆う扉４１の対向する両端部を枢支軸４４として一方から択一的に開閉する扉開閉機構において、両端の枢支軸４４から離れた位置で扉４１と機器本体４０とを連結して扉４１の開閉に応じて進退するリンク５１を有したリンク機構５０を備え、リンク機構５０は、リンク５１の両端に回転自在に設けられる第１、第２連結部５２、５３と、扉４１に配されて第１連結部５２を扉４１の両端部を結ぶ方向にスライド自在に支持する第１案内部５４と、機器本体４０に配されて第２連結部５３を開口部の開口面に垂直な方向にスライド自在に支持する第２案内部５５とを備える。【選択図】図１７
2009092285.tif 000002
【特許請求の範囲】
【請求項１】
機器本体の開口部を覆う扉の対向する両端部を枢支軸として一方から択一的に開閉する扉開閉機構において、両端の前記枢支軸から離れた位置で前記扉と前記機器本体とを連結して前記扉の開閉に応じて進退するリンクを有したリンク機構を備えたことを特徴とする扉開閉機構。
【請求項２】
前記機器本体及び前記扉の両端部に対称に配されて前記機器本体と前記扉との係合及び離脱を行う一対のカム機構を備え、前記扉の閉成時に両側の前記カム機構が対称な第１係止位置をとるとともに、前記扉の一方を開く際に前記カム機構によって前記扉を開放側から軸側へスライドさせて他方の前記カム機構が前記扉を回動自在にスライド規制する第２係止位置をとることを特徴とする請求項１に記載の扉開閉機構。
【請求項３】
前記リンク機構は、前記リンクが両端に回転自在の第１、第２連結部を有し、前記扉に配されて第１連結部を前記扉の両端部を結ぶ方向にスライド自在に支持する第１案内部と、前記機器本体に配されて第２連結部を前記開口部の開口面に垂直な方向にスライド自在に支持する第２案内部とを備えることを特徴とする請求項１または請求項２に記載の扉開閉機構。
【請求項４】
前記リンク機構は、前記リンクが長手方向に延びる係合溝を有するとともに回転自在の連結部を一端に有し、前記扉に配されて前記連結部を前記扉の両端部を結ぶ方向にスライド自在に支持する案内部と、前記機器本体に配されて前記係合溝に係合して前記リンクを案内する係合子とを備えることを特徴とする請求項１または請求項２に記載の扉開閉機構。
【請求項５】
前記リンク機構を平面的に見て対称に一対設け、前記リンクを屈曲するとともに両方の前記リンクが前記扉上で重なって配置されることを特徴とする請求項４に記載の扉開閉機構。
【請求項６】
前記枢支軸が鉛直に配され、前記リンク機構を前記扉の上方に配したことを特徴とする請求項１〜請求項５のいずれかに記載の扉開閉機構。
【請求項７】
前記リンクを進退させる電動装置を設けたことを特徴とする請求項１〜請求項６のいずれかに記載の扉開閉機構。
【発明の詳細な説明】
【技術分野】
【０００１】
本発明は冷蔵庫等の扉開閉機構に関し、特に扉の対向する２辺のどちらからでも開閉できる扉開閉機構に関する。
【背景技術】
【０００２】
従来の扉開閉機構は特許文献１に開示されている。この扉開閉機構は機器本体の開口部を塞ぐ扉と機器本体との係合及び離脱を行なう一対のカム機構が扉の左右にそれぞれ対称に設けられている。カム機構は扉に設けたヒンジピンとヒンジピンを案内するカム溝を有している。
【０００３】
扉を閉じた際に両方のカム機構は対称な第１係止位置をとる。扉の例えば右側を開くと両方のカム機構によって扉がスライドし、左側のカム機構が第２係止位置に移行する。これにより、左側のヒンジピンが枢支軸となって扉が回転自在にスライド規制される。その結果、扉の脱落を防止して扉を開くことができる。また、カム機構は左右対称に形成されるため、扉を左側からも同様に開くことができる。
【０００４】
【特許文献１】特許第３４７９４１０号公報（第３頁−第９頁、第１２図）
【発明の開示】
【発明が解決しようとする課題】
【０００５】
しかしながら、上記従来の扉開閉機構によると、扉を択一的に両方から開くことができるため、開いた際に扉が脱落しないかという不安感を使用者に与える問題があった。
【０００６】
本発明は、使用者の不安感を解消できる扉開閉機構を提供することを目的とする。
【課題を解決するための手段】
【０００７】
上記目的を達成するために本発明は、機器本体の開口部を覆う扉の対向する両端部を枢支軸として一方から択一的に開閉する扉開閉機構において、両端の前記枢支軸から離れた位置で前記扉と前記機器本体とを連結して前記扉の開閉に応じて進退するリンクを有したリンク機構を備えたことを特徴としている。
【０００８】
この構成によると、扉を任意に選択される一方から開くと他方を枢支軸として扉が回動し、扉の両端部の中間で機器本体に連結されるリンクが扉に追随して前進する。扉を閉じると扉に追随してリンクが後退する。
【０００９】
また本発明は、上記構成の扉開閉機構において、前記機器本体及び前記扉の両端部に対称に配されて前記機器本体と前記扉との係合及び離脱を行う一対のカム機構を備え、前記扉の閉成時に両側の前記カム機構が対称な第１係止位置をとるとともに、前記扉の一方を開く際に前記カム機構によって前記扉をスライドさせて他方の前記カム機構が前記扉を回動自在にスライド規制する第２係止位置をとることを特徴としている。
【００１０】
この構成によると、扉の例えば左右にカム機構が対称配置され、扉を左右から開くことができる。扉の閉止状態では両側のカム機構は第１係止位置に配置される。扉を一方から開くと扉がスライド移動して他方のカム機構は第１係止位置から第２係止位置に移行する。カム機構が第２係止位置に配されると扉はスライドが規制されて回動する。扉の上下或いは前後にカム機構を対称配置してもよい。
【００１１】
また本発明は、上記構成の扉開閉機構において、前記リンク機構は、前記リンクが両端に回転自在の第１、第２連結部を有し、前記扉に配されて第１連結部を前記扉の両端部を結ぶ方向にスライド自在に支持する第１案内部と、前記機器本体に配されて第２連結部を前記開口部の開口面に垂直な方向にスライド自在に支持する第２案内部とを備えることを特徴としている。
【００１２】
この構成によると、扉の一方を開くと、リンクの第１連結部が第１案内部の案内によって扉に沿って移動し、第２連結部が第２案内部の案内によって正面側に移動する。これにより、リンクが回動しながら前進する。
【００１３】
また本発明は、上記構成の扉開閉機構において、前記リンク機構は、前記リンクが長手方向に延びる係合溝を有するとともに回転自在の連結部を一端に有し、前記扉に配されて前記連結部を前記扉の両端部を結ぶ方向にスライド自在に支持する案内部と、前記機器本体に配されて前記係合溝に係合して前記リンクを案内する係合子とを備えることを特徴としている。
【００１４】
この構成によると、扉の一方を開くと、リンクの一端の連結部が案内部の案内によって扉に沿って移動し、機器本体に固定の係合子によりリンクの係合溝が案内される。これにより、リンクが回動しながら前進する。
【００１５】
また本発明は、上記構成の扉開閉機構において、前記リンク機構を平面的に見て対称に一対設け、前記リンクを屈曲するとともに両方の前記リンクが前記扉上で重なって配置されることを特徴としている。
【００１６】
また本発明は、上記構成の扉開閉機構において、前記枢支軸が鉛直に配され、前記リンク機構を前記扉の上方に配したことを特徴としている。
【００１７】
また本発明は、上記構成の扉開閉機構において、前記リンクを進退させる電動装置を設けたことを特徴としている。この構成によると、電動装置を駆動するとリンクが進退して扉が開閉される。
【発明の効果】
【００１８】
本発明によると、扉の両端部から択一的に開くことのできる扉開閉機構において、扉と機器本体とを連結して扉の開閉に応じて進退するリンクを有したリンク機構を備えたので、扉を開く際に使用者が扉に追随するリンクを視認することができる。従って、扉が脱落するかもしれないという使用者の不安感を解消することができる。
【００１９】
また本発明によると、一対のカム機構を備え、扉の閉成時に両側のカム機構が対称な第１係止位置をとり、扉の一方を開く際に扉を開放側から軸側へスライドさせて他方のカム機構が扉を回動自在にスライド規制する第２係止位置をとるので、扉の両側から開くことのできる扉開閉機構を容易に実現することができる。
【００２０】
また本発明によると、リンクの一端に設けた回転自在の第１連結部を扉の両端部を結ぶ方向にスライド自在に支持する第１案内部を扉に配し、リンクの他端に設けた第２連結部を開口部の開口面に垂直な方向にスライド自在に支持する第２案内部を機器本体に配したので、扉の開閉に応じて進退するリンクを備えたリンク機構を容易に実現することができる。
【００２１】
また本発明によると、リンクの一端に設けた回転自在の連結部を扉の両端部を結ぶ方向にスライド自在に支持する案内部を扉に設け、リンクに設けた係合溝に係合してリンクを案内する係合子を機器本体に設けたので、扉の開閉に応じて進退するリンクを備えたリンク機構を容易に実現することができる。
【００２２】
また本発明によると、リンク機構を平面的に見て対称に一対設け、リンクを屈曲するとともに両方のリンクが扉上で重なって配置されるので、リンク機構の動作が安定して扉を円滑に開閉できるとともに、リンク機構を省スペースで配置することができる。
【００２３】
また本発明によると、枢支軸が鉛直に配され、リンク機構を扉の上方に配したので、扉の開成時にリンクが使用者の邪魔にならない。従って、扉開閉機構を備えた機器の利便性を向上することができる。
【００２４】
また本発明によると、リンクを進退させる電動装置を設けたので、電動装置の駆動によって扉を開閉することができる。従って、扉開閉機構を備えた機器の利便性を向上することができる。
【発明を実施するための最良の形態】
【００２５】
以下に本発明の実施形態を図面を参照して説明する。図１は第１実施形態の扉開閉機構を備えた冷蔵庫示す平面図である。扉開閉機構は冷蔵庫の本体部４０（機器本体）と本体部４０の開口部を塞ぐ扉４１との係合及び離脱を行なう一対のカム機構１００が扉４１の左右にそれぞれ対称に設けられている。本体部４０及び扉４１の上面にはリンク機構５０が設けられる。
【００２６】
図２、図３は冷蔵庫の上部の正面断面図及び側面断面図である。リンク機構５０は前後に延びた金属板から成るリンク５１を有している。リンク５１の両端には回転自在の第１、第２連結部５２、５３が設けられる。扉４１の上面には第１連結部５２が係合するレール状の第１案内部５４が左右に延びて設けられる。第１案内部５４は扉４１に取り付けられるホルダ５６によって両端で保持される。第１連結部５２は第１案内部５４によって扉４１の両端部を結ぶ方向にスライド自在に支持され、扉４１に沿って案内される。
【００２７】
本体部４０の上面には第２連結部５３が係合するレール状の第２案内部５５が前後に延びて設けられる。第２案内部５５は本体部４０の上面に設けた金属板から成るベース５８上に取り付けられるホルダ５７によって両端で保持される。第２連結部５３は第２案内部５５によって開口部の開口面に垂直な方向にスライド自在に支持され、該方向に案内される。第１、第２連結部５２、５３がそれぞれ第１、第２案内部５４、５５に係合して本体部４０と扉４１とがリンク５１により連結される。
【００２８】
カム機構１００は扉４１の上下面に同様に設けられる。図４は下部のカム機構１００の平面図を示している。カム機構１００は扉４１の下面に設けられたスライドカム部材１と、本体部４０の開口部の底面に沿って設けられるヒンジアングル１５とから成っている。上下のカム機構１００により扉４１の上下が本体部４０に支持されている。同図において、扉４１によりスライドカム部材１及びヒンジアングル１５が覆われるが、それぞれ実線で記載している。
【００２９】
図５はヒンジアングル１５を示す平面図である。また、図６〜図８はそれぞれ図５のＡ−Ａ断面図、Ｂ−Ｂ断面図、Ｃ−Ｃ断面図を示している。ヒンジアングル１５はステンレスや亜鉛メッキ鋼板等の金属から成る断面Ｌ字型のアングル部材１５ａを有している。アングル部材１５ａは本体の幅方向に延びて線対称に形成され、垂直面を本体開口部の下方にネジ止めして水平面が本体開口部の底面に沿うように配置される。
【００３０】
金属製のアングル部材１５ａには金属製のヒンジピン１４がカシメにより固着されている。また、金属製の絞り鍛造プレス品から成るロック外カム１１がヒンジピン１４から所定距離離れてカシメにより固着されている。ロック外カム１１は左右のヒンジピン１４を中心とした円筒面を含む摺動面１１ａ、１１ｂを両面に有している。
【００３１】
ヒンジアングル１５はインサート成形によりアングル部材１５ａが樹脂製のヒンジカバー１５ｂに覆われて形成される。ヒンジカバー１５ｂにはヒンジピン１４と同心の円筒面６ａを有したアーチ状のリブ６が形成されている。リブ６は円筒面６ａを有していればアーチ状でなくてもよい。
【００３２】
図９はスライドカム部材１を示す平面図である。スライドカム部材１には第１、第２溝カム３、４、ボス５、スライド外カム９が設けられる。第１溝カム３はヒンジピン１４と係合し、本体部４０側に開放端を有して開放端が内側になるように水平面内で傾斜して形成される。
【００３３】
第２溝カム４は第１溝カム３の開放端と反対の端部に連続し、第１溝カム３から屈曲して開放端から離れるように外側に向かって形成される。また、第２溝カム４はヒンジピン１４の軸方向に平行な２面から成る摺接部４ｂを有し、ヒンジピン１４と係合する。ボス５は第１溝カム３の端部及び第２溝カム４が凹設され、リブ６の円筒面６ａと同じ半径の円筒面から成る第１カム面５ａを有している。
【００３４】
また、ボス５の周面は第１カム面５ａに対して扉４１の外側を凹欠した逃げ面５ｂが形成される。逃げ面５ｂは第２カム面５ｃ及び凸面５ｄから成っている。凸面５ｄは後述するようにカム機構１００が第１係止位置に配置された際にリブ６の円筒面６ａに沿うように形成される。
【００３５】
第２カム面５ｃは凸面５ｄと第１カム面５ａとを連結し、カム機構１００が第１係止位置から第２係止位置に移行する際にリブ６の端部に摺動する。スライド外カム９はロック外カム１１と摺動可能に配され、左右のヒンジピン１４を中心とした円筒面を含む摺動面９ａ、９ｂを両面に有している。スライド外カム９の周囲にはロック外カム１１との干渉を回避する溝部３３が凹設される。
【００３６】
図１０は上部のカム機構１００の平面図を示している。上部のカム機構１００は扉４１の上面に設けられる上記と同様のスライドカム部材１と、本体部４０の開口部の天井面に左右に分割して設けられるロックカム部材２とから成っている。同図において、ロックカム部材２の構成要素及びスライドカム部材１はロックカム部材２の上面によって覆われるが、それぞれ実線で記載している。
【００３７】
ロックカム部材２にはヒンジアングル１５と同様のヒンジピン１４、リブ６、ロック外カム１１（いずれも図中、斜線で示す）が設けられる。金属から成るヒンジピン１４はロックカム部材２にインサート成形され、扉４１の枢支軸となる。
【００３８】
図１１〜図１６は、扉４１の右側を開く際の下部のカム機構１００の相対位置の推移を示す平面図である。上部のカム機構１００も同様に推移する。扉４１を閉じた状態では両側のカム機構１００は図１１に示す第１係止位置に配置される。即ち、左右のヒンジピン１４が第２溝カム４の第１溝カム３に連続する側の端部に配置される。また、ボス５の凸面５ｄがリブ６の円筒面６ａに沿って配置され、第１カム面５ａが円筒面６ａに対して離れて配置される。
【００３９】
第１溝カム３は左右方向に垂直な方向に対して傾斜しているため、左右の第１溝カム３の開放端からヒンジピン１４が係合を離脱することがない。従って、扉４１の脱落を防止することができる。
【００４０】
図１２は扉４１が右側から開き始めた状態を示している。この時、右側のヒンジピン１４は第１溝カム３内を開放端に向かって相対移動する。第１溝カム３は開放端が扉４１の内側に向かって傾斜しており、第２溝カム４は第１溝カム３との連結部分から外側に向かって延びている。両方のヒンジピン１４の間隔は一定のため、右側のヒンジピン１４が開放端に向かって内側に相対移動すると左側のヒンジピン１４は第１溝カム３から離れる方向に第２溝カム４内を外側に相対移動する。
【００４１】
これにより、両方のカム機構１００は第１係止位置から外れる。この時、左側のボス５の第２カム面５ｃがリブ６の端部と摺動し、扉４１を案内する。尚、開放端が扉４１の外側に向かって傾斜するように第１溝カム３が形成される場合は、第２溝カム４は第１溝カム３との連結部分から内側に向かって延びて形成される。
【００４２】
図１３は、更に扉４１を右側から開いた状態を示している。この時、右側のスライド外カム９の摺動面９ｂがロック外カム１１の摺動面１１ｂと摺動する。そして、ヒンジピン１４に案内される傾斜した第１溝カム３によって扉４１が右へスライドする。扉４１の左側はヒンジピン１４により第２溝カム４の摺接部４ｂがヒンジピン１４の周面の２点と摺接しながら案内される。第２溝カム４は左右方向に対して傾斜するため、扉４１は後方向にスライドする。
【００４３】
更に扉４１が回動して図１４に示す状態になると、左側の第２溝カム４の第１溝カム３から離れた側の端部がヒンジピン１４と摺接する位置に配される。これにより、左側のカム機構１００は第２係止位置となる。そして、ボス５の第１カム面５ａがリブ６の円筒面６ａと当接して摺動案内される。また、扉４１の右側では、スライド外カム９の摺動面９ｂがロック外カム１１の摺動面１１ｂと摺動する。
【００４４】
この時、左側のヒンジピン１４と第２溝カム４との係合により略前後方向への扉４１の移動が規制される。また、右側のヒンジピン１４と第１溝カム３との係合により略左右方向への扉４１の移動が規制される。これにより、扉４１は回動自在に支持されるとともにスライド規制される。
【００４５】
更に扉４１が回動して図１５に示す状態になると、右側のヒンジピン１４と第１溝カム３との係合が解除される。また、右側のロック外カム１１とスライド外カム９との係合が解除される。これにより、右側のカム機構１００の係合が解除される。扉４１の左側ではヒンジピン１４を中心としてスライド外カム９の摺動面９ａとロック外カム１１の摺動面１１ａとが摺動してスライド外カム９が案内される。
【００４６】
更に扉４１が回動して図１６に示す状態になると、ボス５の第２カム面５ｃ側の第１カム面５ａがリブ６の円筒面６ａと摺動を開始する。これにより、左側のボス５とリブ６との係合により略左右方向への扉４１の移動が規制される。その後、スライド外カム９とロック外カム１１とが離れる。この時、左側のヒンジピン１４と第２溝カム４との係合により略前後方向への扉４１の移動が規制される。また、左側のボス５とリブ６との係合により略左右方向への扉４１の移動が規制される。従って、扉４１はヒンジピン１４を枢支軸として回動自在に支持されるとともにスライド規制される。
【００４７】
扉４１がスライド規制された状態でヒンジピン１４を枢支軸として回動すると、図１７に示すように、第２連結部５３が第２案内部５５内を前進してリンク５１が前進する。更に扉４１を開くと図１８〜図２０に示すように、第２連結部５３が第２案内部５５内を前進し、第１連結部５２が第１案内部５４内を移動する。
【００４８】
また、扉４１を左側から開くと、カム機構１００は上記と左右対称に推移する。左側のカム機構１００の係合が解除されると、扉４１がスライド規制された状態で右側のヒンジピン１４を枢支軸として回動する。そして、図２１〜図２４に示すように、第２連結部５３が第２案内部５５内を前進し、第１連結部５２が第１案内部５４内を移動する。
【００４９】
これにより、左右のヒンジピン１４（枢支軸）から離れた位置でリンク５１によって扉４１が本体部４０と連結した状態で左右の一方から開かれる。扉４１を閉じる際には上記と逆方向に第１、第２連結部５２、５４が第１、第２案内部５３、５５に案内されてリンク５１が後退する。尚、扉４１を閉じた状態で第２連結部５４が第２案内部５４の枢支軸となる側に偏って配置される場合もあるが、扉４１の開閉動作に支障はない。
【００５０】
本実施形態によると、扉４１の両端部から択一的に開くことのできる扉開閉機構において、扉４１と本体部４０（機器本体）とを連結して扉４１の開閉に応じて進退するリンク５１を有したリンク機構５０を備えたので、扉４１を開く際に使用者が扉４１に追随するリンク５１を視認することができる。従って、扉４１が脱落するかもしれないという使用者の不安感を解消することができる。
【００５１】
また、扉４１の枢支軸となるヒンジピン１４が鉛直に配され、リンク機構５０を扉４１の上方に配したので、扉４１の開成時にリンク５１が使用者の邪魔にならない。従って、扉開閉機構を備えた冷蔵庫等の機器の利便性を向上することができる。
【００５２】
次に、図２５、図２６、図２７は第２実施形態の扉開閉機構を示す平面図、正面断面図及び側面断面図である。説明の便宜上、前述の図１〜図１０に示す第１実施形態と同様の部分には同一の符号を付している。扉開閉機構は平面視左右対称な一対のリンク機構６０、７０を有し、第１実施形態と同様のカム機構１００が左右対称に設けられる。
【００５３】
リンク機構６０、７０はそれぞれＬ字型に屈曲したリンク６１、７１を有している。本体部４０の上面に設けられるベース５８には扉４１の方向に突出する固定アングル８０が固定される。扉４１の上面には本体部４０側が開口したリンクホルダー８１が設けられる。
【００５４】
リンクホルダー８１内には固定アングル８０及びリンク６１、７１が収納される。この時、リンク６１は固定アングル８０の下方に配され、リンク７１は固定アングル８０の上方に配される。これにより、リンク６１、７１は扉４１を閉じた状態で上下方向に重なって配置される。
【００５５】
固定アングル８０の一端には下方に突出する係合子６３が回転自在に設けられる。固定アングル８０の他端には上方に突出する係合子７３が回転自在に設けられる。リンク６１、７１には長手方向に延びて係合子６３、７３にそれぞれ係合する係合溝６１ａ、７１ａが設けられる。係合溝６１ａ、７１ａが係合子６３、７３に摺動案内され、リンク６１、７１が進退する。
【００５６】
リンク６１の先端には下方に突出する連結部６２が回転自在に設けられる。リンク７１の先端には上方に突出する連結部７２が回転自在に設けられる。リンクホルダー８１の底面には連結部６２が係合する長孔状の案内部６４ａを有した案内板６４が取り付けられる。リンクホルダー８１の天井面には連結部７２が係合する長孔状の案内部７４ａを有した案内板７４が取り付けられる。
【００５７】
案内部６４ａ、７４ａは扉４１の両端部を結ぶ方向にスライド自在に連結部６２、７２を支持する。これにより、リンク６１、７１の前部は連結部６２、７２が案内部６４ａ、７４ａに摺動案内されて扉４１に沿って移動する。
【００５８】
上記構成の扉開閉機構において、扉４１を右側から開くと第１実施形態と同様に左側のカム機構１００が第２係止位置に移行する。これにより、扉４１がスライド規制された状態で左側のヒンジピン１４を枢支軸として回動する。そして、図２８に示すように、係合溝６１ａ、７１ａの一端に配された係合子６３、７３を支点としてリンク６１、７１が回動する。これにより、リンク６１、７１の前部が前方に進む。
【００５９】
更に扉４１を開くと図２９に示すように、連結部６２、７２が案内部６４ａ、７４ａによって扉４１の幅方向の内側に向かって案内される。これにより、リンク６１、７１は係合子６３、７３を支点に回動し、前端が更に前方に進む。
【００６０】
更に扉４１を開くと図３０に示すように、リンク６１は連結部６２が案内部６４ａの外側の端部に配され、係合子６３が係合溝６１ａの中間に配される。これにより、リンク６１は全体が前進する。連結部７２は更に扉４１の内側に向かって案内部７４ａ内を移動し、リンク７１が回動する。
【００６１】
更に扉４１を開くと図３１に示すように、リンク６１は連結部６２が案内部６４ａの外側の端部に配され、係合子６３が係合溝６１ａの後端に配される。リンク７１は連結部７２が案内部７４ａの内側の端部に配され、係合子７３が係合溝７１ａの中間に配される。これにより、扉４１が開かれる。
【００６２】
また、扉４１を左側から開いて左側のカム機構１００の係合が解除されると、扉４１がスライド規制された状態で右側のヒンジピン１４を枢支軸として回動する。そして、上記と同様に、図３２〜図３５に示すように連結部６２、６４が案内部６４ａ、７４ａに案内され、係合溝６１ａ、７１ａが係合子６３、７３に案内される。その結果、リンク６１、７１が回動を伴って前進する。
【００６３】
これにより、左右のヒンジピン１４（枢支軸）から離れた位置でリンク６１、７１によって扉４１が本体部４０と連結した状態で左右の一方から開かれる。扉４１を閉じる際には上記と逆方向に連結部６２、７２が案内部６４ａ、７４ａに案内され、係合溝６１ａ、７１ａが係合子６３、７３に案内されてリンク６１、７１が後退する。
【００６４】
本実施形態によると、第１実施形態と同様に、扉４１と本体部４０（機器本体）とを連結して扉４１の開閉に応じて進退するリンク６１、７１を有したリンク機構６０、７０を備えたので、扉４１を開く際に使用者が扉４１に追随するリンク６１、７１を視認することができる。従って、扉４１が脱落するかもしれないという使用者の不安感を解消することができる。
【００６５】
また、リンク機構６０、７０を平面的に見て対称に設け、リンク６１、７１を屈曲するとともに両方のリンク６１、７１が扉４１上で重なって配置される。これにより、リンク機構６０、７０の動作が安定して扉４１を円滑に開閉できるとともに、リンク機構６０、７０を省スペースで配置することができる。
【００６６】
次に、図３６は第３実施形態の扉開閉機構を示す平面図である。説明の便宜上、前述の図２５〜図２７に示す第２実施形態と同様の部分には同一の符号を付している。本実施形態の扉開閉機構は第２実施形態のリンク機構６０（図２５参照）を省いてリンク機構７０のみが設けられる。
【００６７】
上記構成の扉開閉機構において、扉４１を右側から開くと左側のカム機構１００が第２係止位置に移行する。これにより、扉４１がスライド規制された状態で左側のヒンジピン１４を枢支軸として回動する。そして、図３７に示すように、係合溝７１ａの一端に配された係合子７３を支点としてリンク７１が回動する。これにより、リンク７１の前部が前方に進む。
【００６８】
更に扉４１を開くと図３８に示すように、連結部７２が案内部７４ａによって扉４１の幅方向の内側に向かって案内される。これにより、リンク７１は係合子７３を支点に回動し、前端が更に前方に進む。更に扉４１を開くと図３９に示すように、リンク７１は連結部７２が更に扉４１の内側に向かって案内部７４ａ内を移動して回動する。
【００６９】
更に扉４１を開くと図４０に示すように、リンク７１は連結部７２が案内部７４ａの内側の端部に配され、係合子７３が係合溝７１ａの中間に配される。これにより、扉４１が開かれる。
【００７０】
また、扉４１を左側から開いて左側のカム機構１００の係合が解除されると、扉４１がスライド規制された状態で右側のヒンジピン１４を枢支軸として回動する。そして、図４１に示すように、係合溝７１ａの一端に配された係合子７３を支点としてリンク７１が回動する。これにより、リンク７１の前部が前方に進む。
【００７１】
更に扉４１を開くと図４２に示すように、連結部７２が案内部７４ａによって扉４１の幅方向の内側に向かって案内される。これにより、リンク７１は係合子７３を支点に回動し、前端が更に前方に進む。
【００７２】
更に扉４１を開くと図４３に示すように、リンク７１は連結部７２が案内部７４ａの外側の端部に配され、係合子７３が係合溝７１ａの中間に配される。これにより、リンク７１は全体が前進する。更に扉４１を開くと図４４に示すように、リンク７１は連結部７２が案内部７４ａの外側の端部に配され、係合子７３が係合溝７１ａの後端に配される。
【００７３】
これにより、左右のヒンジピン１４（枢支軸）から離れた位置でリンク７１によって扉４１が本体部４０と連結した状態で左右の一方から開かれる。扉４１を閉じる際には上記と逆方向に連結部７２が案内部７４ａに案内され、係合溝７１ａが係合子７３に案内されてリンク７１が後退する。
【００７４】
本実施形態によると、リンク機構６０が設けられないため第２実施形態よりもリンク機構７０の動作の安定性が劣るが、第１、第２実施形態と同様に扉４１が脱落するかもしれないという使用者の不安感を解消することができる。
【００７５】
第１〜第３実施形態において、ヒンジピン１４と同心の円筒面６ａが包絡面となる多数のピンや突起部により、ボス５と摺動する摺動部をリブ６に替えて形成してもよい。即ち、ボス５と摺動する摺動部が円筒面６ａに沿って形成されていればよい。
【００７６】
また、リブ６に円筒面６ａが形成される場合には、ボス５の周面を多数のピンや突起部により形成してもよい。即ち、ボス５の周面を形成する多数のピンや突起部の包絡面が第１、第２カム面５ａ、５ｂとなるように形成してもよい。
【００７７】
また、カム機構１００を扉の上下または前後に設けて上下または前後から扉を開くようにしてもよい。また、リブ６及びヒンジピン１４を扉４１側に設けて第１、第２溝カム３、４及びボス５を本体部４０側に設けてもよい。また、ロック外カム１１を扉４１側に設けてスライド外カム９を本体部４０側に設けてもよい。
【００７８】
また、リンク５１、６１、７１を進退させる電動装置を設けてもよい。これにより、電動装置を駆動するとリンク５１、６１、７１が進退して扉４１が開閉することができる。従って、扉開閉機構を備えた機器の利便性を向上することができる。
【産業上の利用可能性】
【００７９】
本発明によると、扉の対向する２辺のどちらからでも開閉できる冷蔵庫等の扉開閉機構に利用することができる。
【図面の簡単な説明】
【００８０】
【図１】本発明の第１実施形態の扉開閉機構を備えた冷蔵庫を示す平面図
【図２】本発明の第１実施形態の扉開閉機構を備えた冷蔵庫の上部を示す正面断面図
【図３】本発明の第１実施形態の扉開閉機構を備えた冷蔵庫の上部を示す側面断面図
【図４】本発明の第１実施形態の扉開閉機構の下部のカム機構を示す平面図
【図５】本発明の第１実施形態の扉開閉機構のヒンジアングルを示す平面図
【図６】図５のＡ−Ａ断面図
【図７】図５のＢ−Ｂ断面図
【図８】図５のＣ−Ｃ断面図
【図９】本発明の第１実施形態の扉開閉機構のスライドカム部材を示す平面図
【図１０】本発明の第１実施形態の扉開閉機構の上部のカム機構を示す平面図
【図１１】本発明の第１実施形態の扉開閉機構のカム機構の動作を説明する平面図
【図１２】本発明の第１実施形態の扉開閉機構のカム機構の動作を説明する平面図
【図１３】本発明の第１実施形態の扉開閉機構のカム機構の動作を説明する平面図
【図１４】本発明の第１実施形態の扉開閉機構のカム機構の動作を説明する平面図
【図１５】本発明の第１実施形態の扉開閉機構のカム機構の動作を説明する平面図
【図１６】本発明の第１実施形態の扉開閉機構のカム機構の動作を説明する平面図
【図１７】本発明の第１実施形態の扉開閉機構のリンク機構の動作を説明する平面図
【図１８】本発明の第１実施形態の扉開閉機構のリンク機構の動作を説明する平面図
【図１９】本発明の第１実施形態の扉開閉機構のリンク機構の動作を説明する平面図
【図２０】本発明の第１実施形態の扉開閉機構のリンク機構の動作を説明する平面図
【図２１】本発明の第１実施形態の扉開閉機構のリンク機構の動作を説明する平面図
【図２２】本発明の第１実施形態の扉開閉機構のリンク機構の動作を説明する平面図
【図２３】本発明の第１実施形態の扉開閉機構のリンク機構の動作を説明する平面図
【図２４】本発明の第１実施形態の扉開閉機構のリンク機構の動作を説明する平面図
【図２５】本発明の第２実施形態の扉開閉機構を示す平面図
【図２６】本発明の第２実施形態の扉開閉機構を示す正面断面図
【図２７】本発明の第２実施形態の扉開閉機構を示す側面断面図
【図２８】本発明の第２実施形態の扉開閉機構のリンク機構の動作を説明する平面図
【図２９】本発明の第２実施形態の扉開閉機構のリンク機構の動作を説明する平面図
【図３０】本発明の第２実施形態の扉開閉機構のリンク機構の動作を説明する平面図
【図３１】本発明の第２実施形態の扉開閉機構のリンク機構の動作を説明する平面図
【図３２】本発明の第２実施形態の扉開閉機構のリンク機構の動作を説明する平面図
【図３３】本発明の第２実施形態の扉開閉機構のリンク機構の動作を説明する平面図
【図３４】本発明の第２実施形態の扉開閉機構のリンク機構の動作を説明する平面図
【図３５】本発明の第２実施形態の扉開閉機構のリンク機構の動作を説明する平面図
【図３６】本発明の第３実施形態の扉開閉機構を示す平面図
【図３７】本発明の第３実施形態の扉開閉機構のリンク機構の動作を説明する平面図
【図３８】本発明の第３実施形態の扉開閉機構のリンク機構の動作を説明する平面図
【図３９】本発明の第３実施形態の扉開閉機構のリンク機構の動作を説明する平面図
【図４０】本発明の第３実施形態の扉開閉機構のリンク機構の動作を説明する平面図
【図４１】本発明の第３実施形態の扉開閉機構のリンク機構の動作を説明する平面図
【図４２】本発明の第３実施形態の扉開閉機構のリンク機構の動作を説明する平面図
【図４３】本発明の第３実施形態の扉開閉機構のリンク機構の動作を説明する平面図
【図４４】本発明の第３実施形態の扉開閉機構のリンク機構の動作を説明する平面図
【符号の説明】
【００８１】
１    スライドカム部材
２    ロックカム部材
３    第１溝カム
４    第２溝カム
５    ボス
５ａ  第１カム面
５ｂ  逃げ面
５ｃ  第２カム面
５ｄ  凸面
６    リブ
６ａ  円筒面
９    スライド外カム
１１    ロック外カム
１４    ヒンジピン
１５    ヒンジアングル
４０    本体部
４１    扉
５０、６０、７０  リンク機構
５１、６１、７１  リンク
５２    第１連結部
５３    第２連結部
５４    第１案内部
５５    第２案内部
６２、７２  連結部
６３、７３  係合子
６４、７４  案内板
６４ａ、７４ａ  案内部
８０    固定アングル
８１    リンクホルダー
１００    カム機構
【図１】
2009092285.tif 000003
【図２】
2009092285.tif 000004
【図３】
2009092285.tif 000005
【図４】
2009092285.tif 000006
【図５】
2009092285.tif 000007
【図６】
2009092285.tif 000008
【図７】
2009092285.tif 000009
【図８】
2009092285.tif 000010
【図９】
2009092285.tif 000011
【図１０】
2009092285.tif 000012
【図１１】
2009092285.tif 000013
【図１２】
2009092285.tif 000014
【図１３】
2009092285.tif 000015
【図１４】
2009092285.tif 000016
【図１５】
2009092285.tif 000017
【図１６】
2009092285.tif 000018
【図１７】
2009092285.tif 000019
【図１８】
2009092285.tif 000020
【図１９】
2009092285.tif 000021
【図２０】
2009092285.tif 000022
【図２１】
2009092285.tif 000023
【図２２】
2009092285.tif 000024
【図２３】
2009092285.tif 000025
【図２４】
2009092285.tif 000026
【図２５】
2009092285.tif 000027
【図２６】
2009092285.tif 000028
【図２７】
2009092285.tif 000029
【図２８】
2009092285.tif 000030
【図２９】
2009092285.tif 000031
【図３０】
2009092285.tif 000032
【図３１】
2009092285.tif 000033
【図３２】
2009092285.tif 000034
【図３３】
2009092285.tif 000035
【図３４】
2009092285.tif 000036
【図３５】
2009092285.tif 000037
【図３６】
2009092285.tif 000038
【図３７】
2009092285.tif 000039
【図３８】
2009092285.tif 000040
【図３９】
2009092285.tif 000041
【図４０】
2009092285.tif 000042
【図４１】
2009092285.tif 000043
【図４２】
2009092285.tif 000044
【図４３】
2009092285.tif 000045
【図４４】
2009092285.tif 000046